【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】
植物におけるＤＮＡ複製を調節し得る、少なくとも部分精製されたタンパク質であって、そのアミノ酸配列中に、
ａ）配列番号６、７、１０および１２で示されるアミノ酸配列からなる群より選択される１もしくは２以上のアミノ酸配列、または
ｂ）ａ）のアミノ酸配列と少なくとも５０％のアミノ酸同一性を有する１もしくは２以上のアミノ酸配列
を少なくとも含むタンパク質。
【請求項２】
１もしくは２以上のｂ）のアミノ酸配列を含み、各アミノ酸同一性が少なくとも９０％である、請求項１記載のタンパク質。
【請求項３】
配列番号５もしくは番号１１もしくは番号１３に示される通りのアミノ酸配列を有するか、あるいはそれらアミノ酸配列の１つと少なくとも５０％のアミノ酸同一性を有する、請求項１または２記載のタンパク質。
【請求項４】
植物ＣＤＣ２７タンパク質もしくはその機能的アナログである、請求項１〜３のいずれか１項に記載のタンパク質。
【請求項５】
請求項１〜４のいずれか１項に記載のタンパク質のムテインであって、該タンパク質のＤＮＡ複製効果に影響を及ぼす、少なくとも１つのアミノ酸の置換、欠失もしくは付加を含む該ムテイン。
【請求項６】
リン酸化可能なアミノ酸の少なくとも１つが欠失するか、あるいは１もしくは２以上のリン酸化不可能なアミノ酸で置換されている、請求項５記載のムテイン。
【請求項７】
ａ）配列番号６、７、１０および１２で示されるアミノ酸配列からなる群より選択される１もしくは２以上のアミノ酸配列、または
ｂ）ａ）のアミノ酸配列と少なくとも５０％のアミノ酸同一性を有する１もしくは２以上のアミノ酸配列
を含むペプチド。
【請求項８】
請求項１〜４のいずれかに記載のタンパク質、請求項５〜６のいずれかに記載のムテインまたは請求項７記載のペプチドを特異的に認識する抗体。
【請求項９】
少なくとも部分精製された、請求項８記載の抗体。
【請求項１０】
請求項１〜４のいずれか１項に記載のタンパク質、請求項５もしくは６記載のムテインまたは請求項７記載のペプチドをコードする非ゲノムＤＮＡ配列、または該配列と少なくとも７５％の配列相同性を有するＤＮＡ配列、あるいはそれらの相補ＤＮＡ配列を含むＤＮＡ。
【請求項１１】
コード配列に介在する配列を実質的に含まない、請求項１０記載のＤＮＡ。
【請求項１２】
配列番号９もしくは配列番号１４もしくは配列番号１５で示されるＤＮＡ配列を含むか、または配列番号９もしくは配列番号１４もしくは配列番号１５と少なくとも７５％の配列相同性を有する、請求項１０または１１記載のＤＮＡ、あるいはそれらの相補ＤＮＡ。
【請求項１３】
配列番号９のヌクレオチド１０９−１８１、２１２５−２１８１もしくは１０２９−１０６１、または配列番号１４のヌクレオチド１０９−１８１もしくは２０９２−２１４８、または配列番号１５のヌクレオチド１−４８３に相当する、請求項７記載のペプチドをコードするＤＮＡ配列、または該配列と少なくとも７５％の配列相同性を有するＤＮＡ配列、あるいはその相補配列を含むＤＮＡ。
【請求項１４】
請求項１０〜１３のいずれか１項に記載のＤＮＡを少なくとも含むＤＮＡベクター。
【請求項１５】
請求項１０〜１３のいずれか１項に記載のＤＮＡに作動可能に連結された、植物細胞において機能的なプロモーターをさらに含む、請求項１４記載のＤＮＡベクター。
【請求項１６】
植物細胞において機能的な、線虫誘導プロモーターに作動可能に連結された、請求項５または６記載のムテインをコードするＤＮＡを含む、請求項１４または１５記載のＤＮＡベクター。
【請求項１７】
請求項１０〜１３のいずれか１項に記載のＤＮＡまたは請求項１４〜１６のいずれか１項に記載のＤＮＡベクターで植物細胞を形質転換する工程を含む、植物細胞分裂に正もしくは負に影響を及ぼす方法。
【請求項１８】
該能力が、
ａ）請求項１０〜１３のいずれか１項に記載のＤＮＡまたは請求項１４〜１６のいずれか１項に記載のＤＮＡベクターで１もしくは２以上の植物細胞を形質転換し、
ｂ）形質転換細胞から植物の部分もしくは植物体を再生させるために植物細胞を培養するか、あるいは
ｃ）該ＤＮＡが発現して該タンパク質もしくはムテインの産生を可能にする条件下で、細胞、植物の部分もしくは植物体をインキュベートすることにより、
１もしくは２以上の植物細胞に付与される、請求項１７記載の方法。
【請求項１９】
請求項１０〜１３のいずれか１項に記載のＤＮＡまたは請求項１４〜１６のいずれか１項に記載のＤＮＡベクターで植物細胞を形質転換する工程を含む、植物細胞の増殖を調節する方法。
【請求項２０】
該能力が、
ａ）請求項１０〜１３のいずれか１項に記載のＤＮＡまたは請求項１４〜１６のいずれか１項に記載のＤＮＡベクターで１もしくは２以上の植物細胞を形質転換し、
ｂ）形質転換細胞から植物の部分もしくは植物体を再生させるために植物細胞を培養するか、あるいは
ｃ）該ＤＮＡが発現して該タンパク質もしくはムテインの産生を可能にする条件下で、細胞、植物の部分もしくは植物体をインキュベートすることにより、
１もしくは２以上の植物細胞に付与される、請求項１９記載の方法。
【請求項２１】
植物細胞、植物の部分もしくは植物体におけるＤＮＡ複製を調節する方法であって、請求項１〜４のいずれか１項に記載のタンパク質または請求項５もしくは６記載のそのムテインを、植物細胞のＤＮＡ複製を調節する、および／または有糸分裂をブロックするのに十分な量で供給する能力を、１もしくは２以上の植物細胞に付与することによる方法。
【請求項２２】
該能力が、
ａ）請求項１０〜１３のいずれか１項に記載のＤＮＡまたは請求項１４〜１６のいずれか１項に記載のＤＮＡベクターで１もしくは２以上の植物細胞を形質転換し、
ｂ）形質転換細胞から植物の部分もしくは植物体を再生させるために植物細胞を培養するか、あるいは
ｃ）該ＤＮＡが発現して該タンパク質もしくはムテインの産生を可能にする条件下で、細胞、植物の部分もしくは植物体をインキュベートすることにより、
１もしくは２以上の植物細胞に付与される、請求項２１記載の方法。
【請求項２３】
倍数体の植物細胞、植物の部分もしくは植物体を生じさせるための、請求項１７〜２２のいずれかに記載の方法。
【請求項２４】
植物におけるＤＮＡ複製を調節し得るタンパク質を同定および／または取得する方法であって、ＣＤＣ２７ポリヌクレオチドをベイトとして、ｃＤＮＡライブラリーもしくは細胞懸濁培養をプレイとして用いる、ツーハイブリッドスクリーニングアッセイを含む方法。
【請求項２５】
トランスジェニック植物、植物細胞もしくは植物組織の作出方法であって、請求項１０〜１３のいずれかに記載の核酸分子または請求項１４〜１６のいずれかに記載のベクターを、該植物、植物細胞もしくは植物組織のゲノムに導入することを含む方法。
【請求項２６】
請求項１４〜１６のいずれか１項に記載のベクターで形質転換されたか、または請求項１０〜１３のいずれか１項に記載のＤＮＡを含む、植物細胞。
【請求項２７】
請求項１７〜２３のいずれかに記載の方法により得られうる植物。
【請求項２８】
請求項２７記載の植物の子孫。
【請求項２９】
請求項２７または２８記載の植物から得られうる、植物材料。
【請求項３０】
植物材料が、根、花、果実、葉、花粉、種子、実生もしくは塊茎である、請求項２９記載の植物材料。